(57)【特許請求の範囲】
【請求項１】
遊技球を表側から裏側に通過させる開口部を有して遊技盤の表面に取り付けられる台板と、前記台板の前面側に配され遊技球を入球させる球入口が上部に設けられる前面カバーであって前記台板と一体化されている前面カバーと、前記球入口に入球した遊技球を検出する検出器と、前記球入口を通過した遊技球を前記遊技盤の背面方向に誘導する誘導樋と、前記台板の背後に配される基板にて保持される発光体と、前記基板の背後に配される基板カバーとを備える入賞装置において、
前記誘導樋は半割円筒状で先端は前記入賞装置を組み立てた状態で開放されており、該誘導樋の先端部の中央であって前記球入口の下方となる部分には前記球入口から落下してきた遊技球の進行方向を前記遊技盤の背面方向に変化させる傾斜部が設けられており、
前記球入口から前記開口部への遊技球の通路を損なうことなく前記前面カバーの内部に配されて、その後端を前記基板または基板カバーに接触させるレンズ体を前記誘導樋の前記先端とは分離して備え、
前記基板カバー及び前記基板を共通に貫通して前記台板と前面カバーとが一体化された前面部材に螺合するビスにて前記基板カバー、前記基板及び前記前面部材を連結するとともに前記検出器を前記前面部材と前記基板カバーとで挟持したことを特徴とする入賞装置。
【請求項２】
請求項１記載の入賞装置において、
前記誘導樋と前記基板カバーとを一体化したことを特徴とする入賞装置。
【発明の詳細な説明】
【０００１】
【発明の属する技術分野】
本発明は、パチンコ機に代表される弾球遊技機の技術分野に属し、詳しくは入賞装置に関する。
【０００２】
【従来の技術】
パチンコ機やアレンジボール式パチンコ機などの弾球遊技機の遊技盤にはチャッカーと呼ばれる入賞装置が取り付けられている。この入賞装置には、前記球入口に入球した遊技球を検出する検出器（近接センサやマイクロスイッチ）を備えるものがある。特に、最近では入賞装置毎に一対一の対応で検出器を配置する傾向にあるので、検出器は事実上必須とされている。
【０００３】
従来の入賞装置では、台板の背後にフック付きの係止片を立設しておき、台板を貫通して頭部を前面カバーに当接させた検出器の後端を係止片のフックにて係止することで、検出器を取り付けていた。この取付構造は単純であり、検出器の取付作業も簡単で、しかも取り付けられた検出器は簡単には外れないという利点があった。
【０００４】
【発明が解決しようとする課題】
ところが、一旦取り付けられた検出器が簡単には外れないという点は、マテリアルリサイクルの観点からはデメリットとなってしまった。つまり、台板などはプラスチック製であるので、リサイクルに当たってはこれらプラスチック材料と検出器とを分別しなければならないが、上記のような取付構造であると分別のための取り外しに手間がかかるという問題があった。本発明は、入賞装置のリサイクルに際して、構成の各部、特に検出器とプラスチック材とを簡単に分離、分別可能とすることを目的としている。
【０００７】
【課題を解決するための手段および発明の効果】
上記課題を解決するための請求項１記載の入賞装置は、遊技球を表側から裏側に通過させる開口部を有して遊技盤の表面に取り付けられる台板と、前記台板の前面側に配され遊技球を入球させる球入口が上部に設けられる前面カバーであって前記台板と一体化されている前面カバーと、前記球入口に入球した遊技球を検出する検出器と、前記球入口を通過した遊技球を前記遊技盤の背面方向に誘導する誘導樋と、前記台板の背後に配される基板にて保持される発光体と、前記基板の背後に配される基板カバーとを備える入賞装置において、
前記誘導樋は半割円筒状で先端は前記入賞装置を組み立てた状態で開放されており、該誘導樋の先端部の中央であって前記球入口の下方となる部分には前記球入口から落下してきた遊技球の進行方向を前記遊技盤の背面方向に変化させる傾斜部が設けられており、
前記球入口から前記開口部への遊技球の通路を損なうことなく前記前面カバーの内部に配されて、その後端を前記基板または基板カバーに接触させるレンズ体を前記誘導樋の前記先端とは分離して備え、
前記基板カバー及び前記基板を共通に貫通して前記台板と前面カバーとが一体化された前面部材に螺合するビスにて前記基板カバー、前記基板及び前記前面部材を連結するとともに前記検出器を前記前面部材と前記基板カバーとで挟持したことを特徴とする入賞装置であるから、
台板と前面カバーとが一体化された前面部材、基板カバー、基板及び検出器をビスだけで組み立てでき、またビスを外すだけで分解でき、リサイクルに当たってのプラスチック材料、検出器、発光体及び基板の分離、分別がきわめて簡単にできる。また、前面部材と基板カバーとが異なるプラスチック材である場合には、それらの分別も容易にできる。
【０００８】
レンズ体は発光体から放出される光に色を付けたり、放射方向を変化させるために装着されるが、これを前面部材とは別部材としたことにより、前面部材とレンズ体との組合せを任意に変更可能となる。例えば遊技盤上での入賞装置の取付け位置、パチンコ機の機種等に応じて、前面部材とレンズ体との組合せをさまざまに変化させることがきわめて容易にできる。
【０００９】
しかも、レンズ体は前面カバーの内部に配されて後端を基板または基板カバーに接触させるので、つまり前面カバーと基板または基板カバーとによって挟持されるので、入賞装置をビスだけで組立でき、ビスを外すだけで分解できる。また、前面部材、基板カバー（誘導樋）、レンズ体が互いに異なるプラスチック材である場合には、それらの分別も容易にできる。
【００１１】
従来の入賞装置では、レンズ体（前面カバーが兼ねることもある）の背面に傾斜部を設けていたので、レンズ部分（レンズ体或いは前面カバー）を透して傾斜部の外形がよく見えてしまい、装飾性を損なうことがあった。また、レンズ部分にシボやローレットなど（光の進路を変化させるための凹凸模様）を施す場合、これをレンズ部分の裏面に設けるなら傾斜部を避けなければならないので、効果が不十分となってしまう。このため、凹凸模様はレンズ部分の表面に設けるのが主流であった。
【００１２】
これに対して、請求項１の入賞装置は、傾斜部が誘導樋に設けられていて誘導樋とレンズ体とを離れさせているので、レンズ体にシボやローレットなどを施す場合に、傾斜部が邪魔にならないから、これをレンズ体の裏面の任意の部分（全域でも可能）に設けることができる。当然ながらレンズ体の表面に設けることもできる。つまり、シボやローレットなどを、表裏を問わずかつ場所や範囲を制限されることなく、設けることができる。
請求項２記載の入賞装置は、請求項１記載の入賞装置において、前記誘導樋と前記基板カバーとを一体化したので、前面部材、基板（発光体を保持している）、基板カバー、検出器及び誘導樋からなる入賞装置をビスだけで組立でき、ビスを外すだけで分解できる。よって、請求項１による効果をより向上させる。また、誘導樋と基板カバーとを一体化しているので、これらを１部品として射出成形できるから、部品点数と製造工数が低減される。
【００１３】
【発明の実施の形態】
次に、本発明の実施例により発明の実施の形態を説明する。
【００１４】
【実施例】
まず図１〜５を参照して実施例の入賞装置１０を説明する。なお、図１は入賞装置１０の斜視図、図２は３面図、図３は分解斜視図、図４は縦断面図、図５は縦断面斜視図である。
【００１５】
これらの図に示すように、入賞装置１０は前面部材２０、レンズ体３０、基板４０、検出器に該当する近接センサ５０及び樋部材６０から構成されている。なお、前面部材２０、レンズ体３０、基板４０及び樋部材６０は、いずれもプラスチックによる射出成形品である。
【００１６】
前面部材２０は、台板２１と前面カバー２２とを一体成形した構造である。前面カバー２２は球入口となる矩形のゲート２３が設けられた上ボンネット２４と一対の下ボンネット２５とで構成され、これらの間にはＴ字状の間隙２６が形成されている。また、下ボンネット２５には貫通穴２５ａが設けられている。台板２１には遊技盤（図示しない）に装着する際にビスを貫通させるビス穴２７が設けられ、また前面部材２０の背後になる位置に開口部２８が設けられている。前面部材２０の背後側は開口部２８まで一連の空洞２９とされており、ここにレンズ体３０が収容される。
【００１７】
レンズ体３０は着色、透光性のプラスチック製である。レンズ体３０の上部にはゲート２３とほぼ同寸法の内ゲート３１が設けられている。また、前面部には同心円に沿った多数の凸条３２ａにより散乱部３２が形成されており、散乱部３２の範囲（アウトライン）は間隙２６に整合する形状とされている。さらに、左右の下部には一対の前方突起３３が設けられている。レンズ体３０の前面から側面にかけての形状は前面部材２０の内面形状にほぼ対応しており、空洞２９に緩みなく収容される。レンズ体３０を空洞２９に収容した際には、前方突起３３がそれぞれ下ボンネット２５の貫通穴２５ａに嵌合してレンズ体３０を位置決めする。
【００１８】
また内ゲート３１とゲート２３との間には近接センサ５０の幅と厚みに整合するセンサ挿入部３５が形成され、ここに近接センサ５０の頭部（検出穴５１の周囲部分）が挿入される。この近接センサ５０の挿入により、ゲート２３、検出穴５１及び内ゲート３１が一連の通路となる。いうまでもないが、この通路は遊技球が通過可能である。近接センサ５０は、検出穴５１内の遊技球の有無で信号レベルを変化させる電磁的なセンサである。近接センサ５０の構造は周知であるので、詳細の図示と説明は省略する。
【００１９】
レンズ体３０の背後に配される基板４０はＵ字状で、左右の上端部にビス穴４１が設けられ、背面側中央部には位置決め用の背面突起４２が立設されている。
基板４０の前面には発光体に該当する一対のＬＥＤ４３が取り付けられており、ＬＥＤ４３の頭部はレンズ体３０の内部に入っている。なお、図２（ｃ）に示すように、レンズ体３０の背面部にはスペーサ３６ａと一対の位置決め用の腕３６ｂが設けられており、スペーサ３６ａは基板４０の前面に接触し、腕３６ｂは基板４０の溝４０ａに係合されている。また、台板２１の背面には、一対のビス受２１ａが設けられており、これらも基板４０の前面に接触している。これらビス受２１ａにはビス用の穴が設けられている。
【００２０】
樋部材６０は、誘導樋６１と基板カバー６２とを一体成形した構造で、基板カバー６２は誘導樋６１の左右にそれぞれ１つずつ配されている。
誘導樋６１は半割円筒状で、先端部の中央には傾斜部に該当する誘導リブ６３が設けられている。誘導樋６１は全体として先端側から後端側に傾斜（約５度）しており、誘導リブ６３の傾斜角度はさらに大きい（本例では誘導樋６１の底面に対して約４０度）。入賞装置１０を組み立てた際には、誘導リブ６３が近接センサ５０の検出穴５１の軸よりも前方に位置するので、検出穴５１を通過して落下してきた遊技球の進路を誘導樋６１の後端に向けて変化させる。これにより検出穴５１を通過した遊技球を速やかに誘導樋６１の後端側に導いて排出できる。
【００２１】
また誘導樋６１の下側には、基板カバー６２同士の間に位置決め部が形成されされており、この位置決め部６４に基板４０の背面突起４２が挿入される。
基板カバー６２の前面にはビス穴６５ａを有するビス保持体６５が突出形成されている。これらビス穴６５ａの径は基板４０のビス穴４１とほぼ等しい。ビス穴６５ａ間の距離は、ビス穴４１間の距離にほぼ等しく、台板２１のビス受２１ａの穴間距離ともほぼ等しい。
【００２２】
誘導樋６１の上縁部からは基板カバー６２の一部となるＬ字状のセンサ保持部６６が延出されている。センサ保持部６６の対向する面６６ａ同士の距離は近接センサ５０の幅に対応しており、近接センサ５０を挿通できる。入賞装置１０を組み立てた際には、センサ保持部６６の後面６６ｂから上ボンネット２４の内面２４ａまでの距離が近接センサ５０の長さ（リード線接続部５２を除く）と整合し、近接センサ５０を挟持する。
【００２３】
入賞装置１０は、例えば次のような手順で組み立てられる。
まず前面部材２０の空洞２９内にレンズ体３０を挿入する。このとき前方突起３３を下ボンネット２５の貫通穴２５ａに嵌合することで、レンズ体３０が位置決めされる。
【００２４】
次に、近接センサ５０の頭部をセンサ挿入部３５に挿入する。なお、近接センサ５０のリード線接続部５２には、予めリード線（図示略）がハンダ付けされている。続いて、基板４０の溝４０ａにレンズ体３０の腕３６ｂを係合させて、基板４０とレンズ体３０とを仮連結する。なお、基板４０には予めＬＥＤ４３が取り付けられ、またＬＥＤ４３用のリード線（図示略）もハンダ付けされている。
【００２５】
次に、樋部材６０の誘導樋６１を基板４０の背後側からレンズ体３０の内部にまで差し込み、また基板４０の背面突起４２を樋部材６０の位置決め部６４に挿通させて、基板カバー６２の前面側を基板４０に当てがう。センサ保持部６６にて近接センサ５０の後端部を保持する。
【００２６】
そして、図示しないビスを基板カバー６２の背後からビス穴６５ａ及びビス穴４１に貫通させ、その先端部を台板２１のビス受２１ａに螺着、締め付ける。これにより、前面部材２０、基板４０及び樋部材６０がビスを介して連結され、前面部材２０と基板４０とによってレンズ体３０が挟持され、また前面部材２０と樋部材６０（センサ保持部６６）とによって近接センサ５０が挟持されるので、入賞装置１０が完成する。
【００２７】
この組立手順から明らかなように、台板２１のビス受２１ａとビスとの螺着を解除してビスを抜き取れば、入賞装置１０を簡単に分解できる。したがって、リサイクルに当たっての入賞装置１０の分解はきわめて簡単である。特に、ビスを抜き取れば簡単に各部品をばらばらにできるから、近接センサ５０と他のプラスチック部品との分離、分別はきわめて容易である。また、プラスチック部品同士でも材質が異なる物を分離、分別するのも容易である。
（変形例）
入賞装置１０の前面部材２０が上述の通りの構造であるので、レンズ体３０を含まない構成でも使用できる。その具体的な構成は図６に示すとおりで、この場合にはレンズ体３０の背部に設けていたスペーサ３６ａ及び腕３６ｂに相当するスペーサ２１ｂ及び腕２１ｃを台板２１の背部に設ける。
【００２８】
組立は上述の例に準じて行われ、前面部材２０、基板４０及び樋部材６０がビスを介して連結され、前面部材２０と樋部材６０（センサ保持部６６）とによって近接センサ５０が挟持される。したがって、分解、分別も上述の例と同様にきわめて簡単であるから、リサイクルに当たっての入賞装置１０の分解、近接センサ５０と他のプラスチック部品との分離、分別及びプラスチック部品同士でも材質が異なる物を分離、分別はきわめて容易である。
【００２９】
なお、検出穴５１を通過して落下してきた遊技球の進路は、誘導リブ６３によって誘導樋６１の後端側に変化させられるから、遊技球が誘導樋６１の先端側にこぼれ出るおそれはない。
そして、レンズ体３０を除去したことにより、間隙２６を通して入賞装置１０の内部が見える。つまり、遊技者は、ゲート２３に入球して検出穴５１を通過した遊技球が誘導樋６１によって奥へと導かれる様子を直接見ることができ、確かに入賞したなと確認できるから、遊技者の興趣を高めることができる。
【００３０】
以上、実施例と変形例に従って、本発明の実施の形態について説明したが、本発明はこれらの例に限定されるものではなく、本発明の要旨を逸脱しない範囲でさまざまに実施できることは言うまでもない。
【図面の簡単な説明】
【図１】  実施例の入賞装置の斜視図である。
【図２】  実施例の入賞装置の３面図であり、図２（ａ）は平面図、図２（ｂ）は正面図、図２（ｃ）は側面図である。
【図３】  実施例の入賞装置の分解斜視図である。
【図４】  実施例の入賞装置の縦断面図である。
【図５】  実施例の入賞装置の縦断面斜視図である。
【図６】  変形例の入賞装置の説明図であり、図６（ａ）は正面図、図６（ｂ）は側面図である。
【符号の説明】
１０   入賞装置
２０   前面部材
２１   台板
２２   前面カバー
２３   ゲート（球入口）
２４   上ボンネット
２５   下ボンネット
２６   間隙
２８   開口部
３０   レンズ体
３１   内ゲート
３２   散乱部
３５   センサ挿入部
４０   基板
４１   ビス穴
４３    ＬＥＤ（発光体）
５０   近接センサ（検出器）
５１   検出穴
６０   樋部材
６１   誘導樋
６２   基板カバー
６３   誘導リブ（傾斜部）
６５ａ ビス穴
６５   ビス保持体
６６   センサ保持部
【図１】
0004563545.tif 000002
【図２】
0004563545.tif 000003
【図３】
0004563545.tif 000004
【図４】
0004563545.tif 000005
【図５】
0004563545.tif 000006
【図６】
0004563545.tif 000007